(57)【特許請求の範囲】
【請求項１】
各サブフレームに対し無線リソース割当を実行し、各サブフレームに対する割当結果を当該サブフレームに適用するダイナミックスケジューラモードと、周期Ｐ毎のサブフレームに対し無線リソース割当を実行し、周期Ｐ毎のサブフレームに対する割当結果をサブフレームｎからｎ＋Ｐ−１までの連続するＰ個の各サブフレームに適用する連続送信型スケジューラモードとを備える基地局装置であって、
前記連続送信型スケジューラモードの適用の有無を示す連続送信適用有無情報と、前記連続送信型スケジューラモードによる連続送信型スケジューリングの周期を示す連続送信周期情報とを端末に通知する端末通知手段を備え、
前記端末通知手段は、
ＰＤＣＣＨ領域に、前記連続送信適用有無情報、及び、前記連続送信周期情報を格納し、前記連続送信適用有無情報、及び、前記連続送信周期情報を端末に通知することを特徴とする基地局装置。
【請求項２】
各サブフレームに対し無線リソース割当を実行し、各サブフレームに対する割当結果を当該サブフレームに適用するダイナミックスケジューラモードと、周期Ｐ毎のサブフレームに対し無線リソース割当を実行し、周期Ｐ毎のサブフレームに対する割当結果をサブフレームｎからｎ＋Ｐ−１までの連続するＰ個の各サブフレームに適用する連続送信型スケジューラモードとを備える基地局装置であって、
前記連続送信型スケジューラモードの適用の有無を示す連続送信適用有無情報と、前記連続送信型スケジューラモードによる連続送信型スケジューリングの周期を示す連続送信周期情報とを端末に通知する端末通知手段を備え、
前記端末通知手段は、
前記連続送信適用有無情報、及び、前記連続送信周期情報を含むＳＩＢ（System Information Broadcast）情報を用いて、前記連続送信適用有無情報、及び、前記連続送信周期情報を端末に通知することを特徴とする基地局装置。
【請求項３】
自基地局のカバレッジエリア内に存在するローカル基地局に、Ｘ２インターフェースを用いて、前記連続送信適用有無情報、及び、前記連続送信周期情報を通知するローカル基地局通知手段を更に備えることを特徴とする請求項１または請求項２に記載の基地局装置。
【請求項４】
自基地局によって干渉を受ける被干渉端末がカバレッジエリア内に存在するか否かを検知する検知手段と、
前記被干渉端末が存在しない場合にスケジューラモードをダイナミックスケジューラモードとし、前記被干渉端末が存在する場合にスケジューラモードを連続送信型スケジューラモードとするスケジューラモード決定手段と
を更に備えることを特徴とする請求項１から請求項３の何れかに記載の基地局装置。
【請求項５】
各サブフレームに対し無線リソース割当を実行するダイナミックスケジューラモードと、周期毎のサブフレームに対し無線リソース割当を実行する連続送信型スケジューラモードとを備える基地局装置と通信する通信端末であって、
ＰＤＣＣＨ内に含まれる、前記連続送信型スケジューラモードの適用の有無を示す連続送信適用有無情報に基づいて、前記連続送信型スケジューラモードの適用の有無を判断する適用有無判断手段と、
前記連続送信型スケジューラモードが適用されていると判断された場合に、当該ＰＤＣＣＨ内に含まれる、前記連続送信型スケジューラモードによる連続送信型スケジューリングの周期を示す連続送信周期情報によって示される周期Ｐを取得するとともに、当該ＰＤＣＣＨを受信したサブフレームｎから連続するＰ個の各サブフレームにおいて、サブフレームｎに対する無線リソース割当の割当情報を用いて、ＰＤＳＣＨを受信／ＰＵＳＣＨを送信する送受信手段と
を備えることを特徴とする通信端末。
【請求項６】
各サブフレームに対し無線リソース割当を実行するダイナミックスケジューラモードと、周期毎のサブフレームに対し無線リソース割当を実行する連続送信型スケジューラモードとを備える基地局装置と通信する通信端末であって、
ＳＩＢ（System Information Broadcast）情報に含まれる、前記連続送信型スケジューラモードの適用の有無を示す連続送信適用有無情報に基づいて、前記連続送信型スケジューラモードの適用の有無を判断する適用有無判断手段と、
前記連続送信型スケジューラモードが適用されていると判断された場合に、当該ＳＩＢ情報に含まれる、前記連続送信型スケジューラモードによる連続送信型スケジューリングの周期を示す連続送信周期情報によって示される周期Ｐを取得するとともに、無線リソース割当の割当情報を受信したサブフレームｎから連続するＰ個の各サブフレームにおいて、サブフレームｎに対する前記割当情報を用いて、ＰＤＳＣＨを受信／ＰＵＳＣＨを送信する送受信手段と
を備えることを特徴とする通信端末。
【発明の詳細な説明】
【技術分野】
【０００１】
本発明は、基地局装置および通信端末に関する。
【背景技術】
【０００２】
現在、３ＧＰＰ（3rd Generation Partnership Project）などの無線インターフェースの標準化団体では、Ｗ−ＣＤＭＡなどの第３世代システムのさらなる周波数利用効率の改善を目指して、ＬＴＥ（Long Term Evolution）に代表される、第３世代の後継システムの標準化が進んでいる。ＬＴＥは無線アクセス方式として、下りリンク（基地局から移動局へのデータ通信リンク）にＯＦＤＭＡ（Orthogonal Frequency Division Multiple Access）を用いる。ＯＦＤＭＡでは、システム帯域幅を複数のサブキャリア群に分割し、サブキャリア群ごとに異なる端末（移動局／ＵＥ）にデータチャネルを割り当てることができる。また、サブキャリア群の構成や割り当て端末は時間とともに変更することができる。従って、ＯＦＤＭＡシステムでは、周波数成分と時間成分からなる二次元的な無線リソースを用いて、柔軟に、物理チャネルの割り当てを行うことができる。
【０００３】
ＬＴＥでは、ＰＤＣＣＨ（Physical Downlink Control Channel）と呼ばれる下り制御チャネルを用いて、時変するアップリンクとダウンリンクのデータチャネルの割り当て情報を端末に通知する。１４ＯＦＤＭシンボル×帯域のサブキャリア数により構成されるＬＴＥの下りサブフレームにおいて、ＰＤＣＣＨとＰＤＳＣＨ（Physical Downlink Shared Channel）は、図９に示すように時間多重される。ＰＤＣＣＨ用のＰＤＣＣＨ領域（ＰＤＣＣＨ  ｒｅｇｉｏｎ）は、先頭のＯＦＤＭシンボルから最大３ＯＦＤＭシンボルを占有し、占有する大きさは固定されていない。従って、ＬＴＥのダウンリンクでは、ＰＤＣＣＨ領域として占有するＯＦＤＭシンボル数、即ち、ＰＤＣＣＨ用のＯＦＤＭシンボル数の情報を端末に通知するため、ＰＣＦＩＣＨ（Physical Control Format Indicator Channel）が用いられる（例えば、非特許文献１、２参照）。
【０００４】
端末におけるＰＤＳＣＨの受信の手順、ＰＵＳＣＨ（Physical Uplink Shared Channel）の送信の手順について説明する。
（手順１）サブフレーム毎にＰＣＦＩＣＨを受信し、ＰＤＣＣＨ用のＯＦＤＭシンボル数の情報を取得する。
（手順２）（手順１）において取得したＰＤＣＣＨ用のＯＦＤＭシンボル数の情報を用いて、自端末宛のＰＤＣＣＨを受信（解読）して、自端末宛のＰＤＳＣＨ／ＰＵＳＣＨの割当情報の存否（存在の有無）を確認（判断）する。なお、各端末宛の割当情報は、存在する場合には、ＰＤＣＣＨ領域内の所定領域（ＰＤＣＣＨ用のＯＦＤＭシンボル数と各端末を識別する識別情報（ＵＥｉｄ）とから求められる領域）に格納（配置）されている。
（手順３）（手順２）において自端末宛の割当情報が存在する場合、当該割当情報を取得し、当該割当情報を用いて、ＰＤＳＣＨを受信／ＰＵＳＣＨを送信する。なお、自端末宛の割当情報が存在しない場合には（手順３）は行わない。
【先行技術文献】
【非特許文献】
【０００５】
【非特許文献１】3GPP, TS 36.211 V9.1.0, “Evolved Universal Terrestrial Radio Access (E-UTRA); Physical Channels and Modulation (Release 9),” March 2010.
【非特許文献２】3GPP, TS 36.213 V9.1.0, “Evolved Universal Terrestrial Radio Access (E-UTRA); Physical layer procedures (Release 9),” March 2010.
【発明の概要】
【発明が解決しようとする課題】
【０００６】
しかしながら、従来の技術には以下の課題１、２が存在する。
（課題１）
課題１は、マクロ基地局とローカル基地局（マクロ基地局よりも送信電力が低い基地局）とからエリア展開した場合に、制御チャネル（ＰＤＣＣＨ）の受信品質が低下するという問題である。具体的には、図１０の左側に示す干渉シナリオＡ、図１０の右側に示す干渉シナリオＢの夫々のシナリオに示すように受信品質の低下が問題となる。
なお、ＰＤＳＣＨは、ＰＤＳＣＨ領域内において干渉を避けるように領域を選択して格納するが、ＰＤＣＣＨは、手順２にて説明したように、ＰＤＣＣＨ領域内の所定領域に格納するため、与干渉基地局からの干渉を受け易い。
【０００７】
（課題１−干渉シナリオＡ）
干渉シナリオＡにおける、ローカル基地局は、自局に対して予め登録された登録済みの端末（干渉シナリオＡにおいて、「ＣＳＧ（Closed Subscriber Group）  ＵＥ」とも称する）からのアクセス（オープン）を許可する一方、自局に対して未登録の端末（干渉シナリオＡにおいて、「非ＣＳＧ  ＵＥ」とも称する）からのアクセスを許可しないローカル基地局（ＣＳＧ基地局。干渉シナリオＡにおいて、「ＣＳＧ  Ｈｏｍｅ  ｅＮＢ」とも称する）である。
干渉シナリオＡは、ＣＳＧ  Ｈｏｍｅ  ｅＮＢに近接する、非ＣＳＧ  ＵＥの制御チャネルの受信品質が、当該ＣＳＧ  Ｈｏｍｅ  ｅＮＢからの強い干渉によって、低下するという場面を問題とする。
即ち、干渉シナリオＡでは、与干渉基地局はＣＳＧ  Ｈｏｍｅ  ｅＮＢである。また、干渉を受ける端末（以下、「被干渉端末」という）は、与干渉基地局の近傍においてマクロ基地局（Ｍａｃｒｏ  ｅＮＢ）に接続している非ＣＳＧ  ＵＥである。
（課題１−干渉シナリオＢ）
干渉シナリオＢにおける、ローカル基地局は、アクセスを許可する端末を限定しないローカル基地局（非ＣＳＧ基地局。干渉シナリオＢにおいて、「Ｐｉｃｏ  ｅＮＢ」とも称する）である。
干渉シナリオＢは、Ｐｉｃｏ  ｅＮＢのカバレッジの拡張により、拡張されたエリアにおいて、Ｐｉｃｏ  ｅＮＢに接続した接続端末（干渉シナリオＢにおいて、「Ｐｉｃｏ  ＵＥ」とも称する）の制御チャネルの受信品質が、Ｍａｃｒｏ  ｅＮＢからの強い干渉によって、低下するという場面を問題とする。
即ち、干渉シナリオＢでは、与干渉基地局は、Ｍａｃｒｏ  ｅＮＢである。また、被干渉端末は、拡張されたエリアにおいてＰｉｃｏ  ｅＮＢに接続しているＰｉｃｏ  ＵＥである。
（課題２）
課題２は、上述の手順１〜手順３の如くサブフレーム毎に、ＰＣＦＩＣＨ受信→ＰＤＣＣＨ受信→ＰＤＳＣＨ受信／ＰＵＳＣＨ送信（自端末宛の割当情報を取得した場合）を行うため、端末における電池の消耗が大きいという問題である。なお、課題２は、マクロ基地局とローカル基地局とからエリア展開した場合に限定する問題ではない。
【０００８】
本発明は、このような事情に鑑みてなされたものであり、端末における制御チャネルの受信品質を向上させるとともに、端末における電池の消耗を低減させることができる技術を提供することを目的とする。
【課題を解決するための手段】
【０００９】
上記問題を解決するために、本発明の一態様である基地局装置は、各サブフレームに対し無線リソース割当を実行し、各サブフレームに対する割当結果を当該サブフレームに適用するダイナミックスケジューラモードと、周期Ｐ毎のサブフレームに対し無線リソース割当を実行し、周期Ｐ毎のサブフレームに対する割当結果をサブフレームｎからｎ＋Ｐ−１までの連続するＰ個の各サブフレームに適用する連続送信型スケジューラモードとを備える基地局装置であって、前記連続送信型スケジューラモードの適用の有無を示す連続送信適用有無情報と、前記連続送信型スケジューラモードによる連続送信型スケジューリングの周期を示す連続送信周期情報とを端末に通知する端末通知手段を備えることを特徴とする。
【００１０】
上記基地局装置の前記端末通知手段は、ＰＤＣＣＨ領域に、前記連続送信適用有無情報、及び、前記連続送信周期情報を格納し、前記連続送信適用有無情報、及び、前記連続送信周期情報を端末に通知するようにしてもよい。
【００１２】
上記基地局装置の前記端末通知手段は、前記連続送信適用有無情報、及び、前記連続送信周期情報を含むＳＩＢ（System Information Broadcast）情報を用いて、前記連続送信適用有無情報、及び、前記連続送信周期情報を端末に通知するようにしてもよい。
【００１３】
上記基地局装置は、自基地局のカバレッジエリア内に存在するローカル基地局に、Ｘ２インターフェースを用いて、前記連続送信適用有無情報、及び、前記連続送信周期情報を通知するローカル基地局通知手段を更に備えるようにしてもよい。
【００１４】
上記基地局装置は、自基地局によって干渉を受ける被干渉端末がカバレッジエリア内に存在するか否かを検知する検知手段と、前記被干渉端末が存在しない場合にスケジューラモードをダイナミックスケジューラモードとし、前記被干渉端末が存在する場合にスケジューラモードを連続送信型スケジューラモードとするスケジューラモード決定手段とを更に備えるようにしてもよい。
【００１５】
上記問題を解決するために、本発明の他の態様である通信端末は、各サブフレームに対し無線リソース割当を実行するダイナミックスケジューラモードと、周期毎のサブフレームに対し無線リソース割当を実行する連続送信型スケジューラモードとを備える基地局装置と通信する通信端末であって、ＰＤＣＣＨ内に含まれる、前記連続送信型スケジューラモードの適用の有無を示す連続送信適用有無情報に基づいて、前記連続送信型スケジューラモードの適用の有無を判断する適用有無判断手段と、前記連続送信型スケジューラモードが適用されていると判断された場合に、当該ＰＤＣＣＨ内に含まれる、前記連続送信型スケジューラモードによる連続送信型スケジューリングの周期を示す連続送信周期情報によって示される周期Ｐを取得するとともに、当該ＰＤＣＣＨを受信したサブフレームｎから連続するＰ個の各サブフレームにおいて、サブフレームｎに対する無線リソース割当の割当情報を用いて、ＰＤＳＣＨを受信／ＰＵＳＣＨを送信する送受信手段とを備えることを特徴とする。
【００１７】
上記問題を解決するために、本発明の他の態様である通信端末は、各サブフレームに対し無線リソース割当を実行するダイナミックスケジューラモードと、周期毎のサブフレームに対し無線リソース割当を実行する連続送信型スケジューラモードとを備える基地局装置と通信する通信端末であって、ＳＩＢ（System Information Broadcast）情報に含まれる、前記連続送信型スケジューラモードの適用の有無を示す連続送信適用有無情報に基づいて、前記連続送信型スケジューラモードの適用の有無を判断する適用有無判断手段と、前記連続送信型スケジューラモードが適用されていると判断された場合に、当該ＳＩＢ情報に含まれる、前記連続送信型スケジューラモードによる連続送信型スケジューリングの周期を示す連続送信周期情報によって示される周期Ｐを取得するとともに、無線リソース割当の割当情報を受信したサブフレームｎから連続するＰ個の各サブフレームにおいて、サブフレームｎに対する前記割当情報を用いて、ＰＤＳＣＨを受信／ＰＵＳＣＨを送信する送受信手段とを備えることを特徴とする。
【発明の効果】
【００１８】
本発明によれば、端末における制御チャネルの受信品質を向上させるとともに、端末における電池の消耗を低減させることができる。
【図面の簡単な説明】
【００１９】
【図１】本発明の一実施形態による基地局装置１０の機能ブロック図である。
【図２】連続送信型スケジューラモードによる連続送信型スケジューリングを説明するための説明図である。
【図３】基地局装置１０の動作の一例を示すフローチャートである。
【図４】ＰＤＣＣＨの種類について説明する説明図である。
【図５】連続送信適用有無情報及び連続送信周期情報を追加したＤＣＩ ｆｏｒｍａｔ０の一例である。
【図６】連続送信適用有無情報及び連続送信周期情報を追加したＤＣＩ ｆｏｒｍａｔ１の一例である。
【図７】通知手段１を採用した場合の端末の動作の一例を示すフローチャートである。
【図８】通知手段２を採用した場合の端末の動作の一例を示すフローチャートである。
【図９】従来技術における、ＰＤＣＣＨとＰＤＳＣＨの時間多重を示す模式図である。
【図１０】従来技術における、ヘテロジニアス無線アクセスネットワークの構成例である。
【発明を実施するための形態】
【００２０】
以下、本発明の一実施形態について図面を参照して説明する。図１は、本発明の一実施形態による基地局装置１０の機能ブロックである。基地局装置１０は、上述の干渉シナリオＡ、Ｂにおける与干渉基地局に設置する基地局装置である。具体的には、干渉シナリオＡにおけるＣＳＧ  Ｈｏｍｅ  ｅＮＢ、又は、干渉シナリオＢにおけるＭａｃｒｏ  ｅＮＢの何れかに設置する基地局装置である。
【００２１】
基地局装置１０は、図１に示すように、検知部１１０、スケジューラモード決定部１３０、ＯＦＤＭシンボル数決定部１４０、ダウンリンク/アップリンクデータチャネルの無線リソース割当部１６０、ダウンリンク制御チャネルの無線リソース割当部１６２、ＰＤＣＣＨ生成部１６４、データチャネル生成部１６６およびＰＣＦＩＣＨ生成部１７０を備える。
【００２２】
まず、後段の処理である、ダウンリンク／アップリンクデータチャネルの無線リソース割当部１６０、ダウンリンク制御チャネルの無線リソース割当部１６２、ＰＤＣＣＨ生成部１６４、データチャネル生成部１６６およびＰＣＦＩＣＨ生成部１７０について簡単に説明する。
【００２３】
ダウンリンク／アップリンクデータチャネルの無線リソース割当部１６０は、スケジューラモード決定部１３０から通知されたスケジューラモード（後述）などに基づいて、データチャネル（ＰＤＳＣＨ／ＰＵＳＣＨ）への無線リソースの割り当てを決定する。
ダウンリンク制御チャネルの無線リソース割当部１６２は、データチャネル（ＰＤＳＣＨ／ＰＵＳＣＨ）の割当結果などに基づいて、ＰＤＣＣＨへの無線リソースの割り当てを決定する。
ＰＤＣＣＨ生成部１６４は、ＰＤＣＣＨの割当結果に基づいて、ＰＤＣＣＨを生成し、所定の無線リソースに配置する。
データチャネル生成部１６６は、データチャネル（ＰＤＳＣＨ）の割当結果、および、ＰＤＣＣＨの割当結果に基づいて、データチャネル（ＰＤＳＣＨ）を生成し、所定の無線リソースに配置する。
ＰＣＦＩＣＨ生成部１７０は、ＯＦＤＭシンボル数決定部１４０から通知されたＯＦＤＭシンボル数に基づいて、ＰＣＦＩＣＨを生成し、所定の無線リソースに配置する。
【００２４】
続いて、前段の処理である、検知部１１０、スケジューラモード決定部１３０およびＯＦＤＭシンボル数決定部１４０について説明する。
【００２５】
検知部１１０は、自基地局１０によって干渉を受ける端末（被干渉端末）が、自基地局１０のカバレッジエリア内に存在するか否かを検知する。具体的には、被干渉端末は、干渉シナリオＡの場合には自基地局１０（ＣＳＧ  Ｈｏｍｅ  ｅＮＢ）によって干渉を受ける非ＣＳＧ  ＵＥである。また、干渉シナリオＢの場合には自基地局１０（Ｍａｃｒｏ  ｅＮＢ）によって干渉を受けるＰｉｃｏ  ＵＥである。
【００２６】
例えば、干渉シナリオＡの場合には、検知部１１０は、自基地局１０（ＣＳＧ  Ｈｏｍｅ  ｅＮＢ）のカバレッジエリア内に位置していなかった被干渉端末（非ＣＳＧ  ＵＥ）が当該カバレッジエリア内に位置するようになった旨、当該カバレッジエリア内に位置していた被干渉端末がまだ当該カバレッジエリア内に位置している旨、および、当該カバレッジエリア内に位置していた被干渉端末が当該カバレッジエリア内に位置しないようになった旨を検知する。検知部１１０は、検知を行って得られた検知結果をスケジューラモード決定部１３０およびＯＦＤＭシンボル数決定部１４０に通知する。
【００２７】
また、干渉シナリオＢの場合には、検知部１１０は、Ｐｉｃｏ  ｅＮＢのカバレッジの拡張後における自基地局１０（Ｍａｃｒｏ  ｅＮＢ）のカバレッジエリア内（拡張部分）に位置していなかった被干渉端末（Ｐｉｃｏ  ＵＥ）が当該カバレッジエリア内（拡張部分）に位置するようになった旨、当該カバレッジエリア内（拡張部分）に位置していた被干渉端末がまだ当該カバレッジエリア内（拡張部分）に位置している旨、および、当該カバレッジエリア内（拡張部分）に位置していた被干渉端末が当該カバレッジエリア内（拡張部分）に位置しないようになった旨を検知する。
検知部１１０は、検知を行って得られた検知結果をスケジューラモード決定部１３０およびＯＦＤＭシンボル数決定部１４０に通知する。
なお、検知部１１０は、Ｐｉｃｏ  ｅＮＢから上述の検知結果を取得してもよい。即ち、検知部１１０自身が検知を行って検知結果を得るのではなく、Ｐｉｃｏ  ｅＮＢが検知（拡張部分に位置していなかったＰｉｃｏ  ＵＥが拡張部分に位置するようになった旨、拡張部分に位置していたＰｉｃｏ  ＵＥがまだ拡張部分に位置している旨、および、拡張部分に位置していたＰｉｃｏ  ＵＥが拡張部分に位置しないようになった旨の検知）を行って、基地局装置１０（検知部１１０）に検知結果を通知してもよい。
【００２８】
なお、上述の検知には種々の手法を用いることができる。例えば、干渉シナリオＡの場合、検知部１１０は、マクロ基地局（Ｍａｃｒｏ  ｅＮＢ）から送信される、被干渉端末（非ＣＳＧ  ＵＥ）のハンドオーバー（Ｈａｎｄｏｖｅｒ）要求を監視し、自基地局１０（ＣＳＧ  Ｈｏｍｅ  ｅＮＢ）のカバレッジエリア内に被干渉端末（非ＣＳＧ  ＵＥ）が存在するか否かを検知する。具体的には、被干渉端末（非ＣＳＧ  ＵＥ）が、マクロ基地局のカバレッジエリア内において、自基地局１０のカバレッジエリアに移動した場合、マクロ基地局は、被干渉端末に対しハンドオーバー要求を送信する。従って、検知部１１０は、閾値以上の被干渉端末のハンドオーバー要求を、一定期間、マクロ基地局から受信した場合に、自基地局１０のカバレッジエリア内に被干渉端末が存在する旨を検知する。また、被干渉端末が、自基地局１０のカバレッジエリアから離れていく場合、マクロ基地局から送信されるハンドオーバー要求がなくなる。従って、検知部１１０は、マクロ基地局から送信されていた被干渉端末のハンドオーバー要求を、一定期間、受信しなくなった場合に、自基地局１０のカバレッジエリア内から被干渉端末が存在しなくなった旨を検知する。
【００２９】
スケジューラモード決定部１３０は、被干渉端末の検知結果を検知部１１０から取得する。スケジューラモード決定部１３０は、被干渉端末の検知結果を取得した場合、当該検知結果に基づいて、自基地局１０のスケジューラモードを決定する（詳細は後述）。スケジューラモード決定部１３０は、決定したスケジューラモードをダウンリンク／アップリンクデータチャネルの無線リソース割当部１６０に通知する。
【００３０】
以下、スケジューラモードの決定方法について説明する。
（１．干渉シナリオＡにおいて被干渉端末が自基地局１０のカバレッジエリア内に存在しない旨の検知結果を取得した場合、又は、干渉シナリオＢにおいて被干渉端末が拡張されたカバレッジエリア内に存在しない旨の検知結果を取得した場合）
スケジューラモード決定部１３０は、自基地局１０のスケジューラモードをダイナミックスケジューラモードに決定する。ダイナミックスケジューラモードは、全サブフレームに対し無線リソース割当を実行し、夫々のサブフレームに対する割当結果を当該夫々のサブフレームに適用するスケジューラモードである。
【００３１】
ダイナミックスケジューラモードによるダイナミックスケジューリングを行う場合、ダウンリンク／アップリンクデータチャネルの無線リソース割当部１６０は、自基地局１０と接続する接続端末（干渉シナリオＡの場合には自基地局１０（ＣＳＧ  Ｈｏｍｅ  ｅＮＢ）と接続するＣＳＧ  ＵＥ、干渉シナリオＢの場合には自基地局１０（Ｍａｃｒｏ  ｅＮＢ）と接続するＭａｃｒｏ  ＵＥ）からフィードバックされたＣＱＩ情報に基づいて、サブフレーム毎に、接続端末のＰＤＳＣＨ／ＰＵＳＣＨに対し無線リソースを割り当てる。
【００３２】
（２．干渉シナリオＡにおいて被干渉端末が自基地局１０のカバレッジエリア内に存在する旨の検知結果を取得した場合、又は、干渉シナリオＢにおいて被干渉端末が拡張されたカバレッジエリア内に存在する旨の検知結果を取得した場合）
スケジューラモード決定部１３０は、自基地局１０のスケジューラモードを連続送信型スケジューラモードに決定する。連続送信型スケジューラモードは、周期Ｐ毎のサブフレームに対し無線リソース割当を実行し、周期Ｐ毎のサブフレームに対する割当結果をサブフレームｎからｎ＋Ｐ−１までの連続するＰ個の各サブフレームに適用するスケジューラモードである。
【００３３】
図２は、連続送信型スケジューラモードによる連続送信型スケジューリングを説明するための説明図である。図２に示すように、連続送信型スケジューリングは、予め指定した周期Ｐ毎にスケジューリングを行い、サブフレームｎでの無線リソース割当結果をサブフレームｎからｎ＋Ｐ−１までの連続するＰ個の全サブフレームに適用するスケジューリングである。連続送信型スケジューリングを行う場合、ダウンリンク／アップリンクデータチャネルの無線リソース割当部１６０は、サブフレームｎ（サブフレームｎ＋Ｐ、サブフレームｎ＋２Ｐ、…も同様）において、ダイナミックスケジューリングと同様に、無線リソースの割り当てを行うが、サブフレームｎ＋１からｎ＋Ｐ−１の連続するＰ−１個のサブフレームにおいては、無線リソースの割り当てを行わない。
【００３４】
つまり、基地局装置１０は、連続送信型スケジューラモードを適用した場合、サブフレームｎ（サブフレームｎ＋Ｐ、サブフレームｎ＋２Ｐ、…も同様）においては、ＰＣＦＩＣＨ送信とＰＤＣＣＨ送信が必要となるが、サブフレームｎ＋１からｎ＋Ｐ−１の連続するＰ−１個のサブフレームにおいては、ＰＣＦＩＣＨ送信とＰＤＣＣＨ送信は不要となる。なお、接続端末は、サブフレームｎのＰＤＣＣＨにより通知された無線リソース割当結果を用いて、サブフレームｎからｎ＋Ｐ−１の連続するＰ個のサブフレームにおいて、ＰＤＳＣＨ受信／ＰＵＳＣＨ受信を行うため、サブフレームｎ＋１からｎ＋Ｐ−１の連続するＰ−１個のサブフレームにおいて、ＰＣＦＩＣＨ受信とＰＤＣＣＨ受信は不要となる。
【００３５】
なお、基地局装置１０は、連続送信型スケジューラモードの適用の有無（ＯＮ／ＯＦＦ）を示す情報（以下、「連続送信適用有無情報」又は「連続送信型スケジューラＯＮ／ＯＦＦ  Ｆｌａｇ」という）、及び、連続送信型スケジューラモードによる連続送信型スケジューリングの周期を示す情報（以下、「連続送信周期情報」という）を接続端末に通知する必要がある。連続送信適用有無情報及び連続送信周期情報の通知手段としては種々の通知手段が考えられるが、詳細は後述する。
【００３６】
ＯＦＤＭシンボル数決定部１４０は、被干渉端末の検知結果を検知部１１０から取得する。ＯＦＤＭシンボル数決定部１４０は、端末３０の検知結果を取得した場合、当該検知結果に基づいて、自基地局１０においてＰＤＣＣＨに使用するＯＦＤＭシンボル数を決定する。ＯＦＤＭシンボル数決定部１４０は、決定したＯＦＤＭシンボル数をＰＣＦＩＣＨ生成部１７０に通知する。
【００３７】
以下、ＰＤＣＣＨに使用するＯＦＤＭシンボル数の決定方法について説明する。
（１．干渉シナリオＡにおいて被干渉端末が自基地局１０のカバレッジエリア内に存在しない旨の検知結果を取得した場合、又は、干渉シナリオＢにおいて被干渉端末が拡張されたＰｉｃｏ  ｅＮＢのカバレッジエリア内に存在しない旨の検知結果を取得した場合）
上記1の場合、ＯＦＤＭシンボル数決定部１４０は、スケジューラモードはダイナミックスケジューラモードとなるため、ＯＦＤＭシンボル数を常に０以外の値とする。なお、ＰＤＣＣＨのＯＦＤＭシンボル数を常に０以外の値とするため、ＰＣＦＩＣＨ生成部１７０は、毎サブフレーム、ＰＣＦＩＣＨを送信する。
【００３８】
（２．干渉シナリオＡにおいて被干渉端末が自基地局１０のカバレッジエリア内に存在する旨の検知結果を取得した場合、又は、干渉シナリオＢにおいて被干渉端末が拡張されたＰｉｃｏ  ｅＮＢのカバレッジエリア内に存在する旨の検知結果を取得した場合）
上記２の場合も上記１の場合と同様、ＯＦＤＭシンボル数決定部１４０は、ＯＦＤＭシンボル数を常に０以外の値とする。
【００３９】
以上のように、基地局装置１０は、被干渉端末に対する干渉が問題となりそうな場合には、スケジューラモードを連続送信型スケジューラモードとしているため、被干渉端末における制御チャネルの受信品質を向上させることができる。また、接続端末は、連続送信型スケジューリングに従っている間は、ＰＣＦＩＣＨ受信とＰＤＣＣＨ受信を行わないため、被干渉端末における電池の消耗も低減させることができる。
【００４０】
具体的には、干渉シナリオＡにおいて自基地局１０（ＣＳＧ  Ｈｏｍｅ  ｅＮＢ）のカバレッジエリア内に被干渉端末（非ＣＳＧ  ＵＥ）が存在しているため、自基地局１０（ＣＳＧ  Ｈｏｍｅ  ｅＮＢ）のＰＣＦＩＣＨとＰＤＣＣＨ等の制御チャネルの無線リソース配置とマクロ基地局のＰＣＦＩＣＨとＰＤＣＣＨ等の制御チャネルの無線リソース配置とが重なるような場合であっても、連続送信型スケジューラモードでは実際には周期的にしか自基地局１０（ＣＳＧ  Ｈｏｍｅ  ｅＮＢ）からＰＣＦＩＣＨとＰＤＣＣＨ等の制御チャネルを送信しないため、自基地局１０（ＣＳＧ  Ｈｏｍｅ  ｅＮＢ）のカバレッジエリア内の被干渉端末（非ＣＳＧ  ＵＥ）における、マクロ基地局からのＰＣＦＩＣＨとＰＤＣＣＨ等の制御チャネルの受信品質を向上させることができる。また、自基地局１０（ＣＳＧ  Ｈｏｍｅ  ｅＮＢ）と接続する接続端末（ＣＳＧ  ＵＥ）は、周期Ｐ毎のサブフレームにおいてＰＣＦＩＣＨ受信とＰＤＣＣＨ受信を行うため、毎サブフレームにおいてＰＣＦＩＣＨ受信とＰＤＣＣＨ受信を行う場合に比べて電池の消耗が低減する。
【００４１】
また、干渉シナリオＢにおいてＰｉｃｏ  ｅＮＢの拡張されたカバレッジエリア内に被干渉端末（Ｐｉｃｏ  ＵＥ）が存在しているため、自基地局１０（Ｍａｃｒｏ  ｅＮＢ）のＰＣＦＩＣＨとＰＤＣＣＨ等の制御チャネルの無線リソース配置とＰｉｃｏ  ｅＮＢのＰＣＦＩＣＨとＰＤＣＣＨ等の制御チャネルの無線リソース配置とが重なるような場合であっても、連続送信型スケジューラモードでは実際には周期的にしか自基地局１０（Ｍａｃｒｏ  ｅＮＢ）からＰＣＦＩＣＨとＰＤＣＣＨ等の制御チャネルを送信しないため、拡張されたカバレッジエリア内に被干渉端末（Ｐｉｃｏ  ＵＥ）における、Ｐｉｃｏ  ｅＮＢからのＰＣＦＩＣＨとＰＤＣＣＨ等の制御チャネルの受信品質を向上させることができる。また、自基地局１０（Ｍａｃｒｏ  ｅＮＢ）と接続する接続端末（Ｍａｃｒｏ  ＵＥ）は、周期Ｐ毎のサブフレームにおいてＰＣＦＩＣＨ受信とＰＤＣＣＨ受信を行うため、毎サブフレームにおいてＰＣＦＩＣＨ受信とＰＤＣＣＨ受信を行う場合に比べて電池の消耗が低減する。
【００４２】
なお、スケジューラモード決定部１３０は、一旦、スケジューラモードを決定した後に、無線リソース割当を見直すために、定期的に、スケジューラモードを切り替えるようにしてもよい。また、スケジューラモード決定部１３０は、定期的に切り替えることに代えて又は加えて被干渉端末の存否などの状況に応じて、イベントドリブン的にスケジューラモードを切り替えるようにしてもよい。定期的に、又は、イベントドリブン的に、スケジューラモードを切り替えるようにすれば、例えば、干渉シナリオＡにおいて自基地局１０（ＣＳＧ  Ｈｏｍｅ  ｅＮＢ）のカバレッジエリア内に被干渉端末（非ＣＳＧ  ＵＥ）が長い時間存在する場合、又は、干渉シナリオＢにおいてＰｉｃｏ  ｅＮＢの拡張されたカバレッジエリア内に被干渉端末（Ｐｉｃｏ  ＵＥ）が長い時間存在する場合であっても、定期的に、ダイナミックスケジューラモードに切り替えることができるため、連続送信型スケジューリングの周期を待つことなく、無線リソースの割当を適宜見直すことができる。
【００４３】
以下、基地局装置１０の動作を説明する。図３は、基地局装置１０の動作の一例を示すフローチャートである。具体的には、図３（ａ）に示すフローチャートはダイナミックスケジューラモードから連続送信型スケジューラモードへのスケジューラモードの切り替え動作、図３（ｂ）に示すフローチャートは連続送信型スケジューラモードからダイナミックスケジューラモードへのスケジューラモードの切り替え動作を示している。
【００４４】
図３（ａ）において、検知部１１０は、所定のエリア内に被干渉端末が存在するか否かを判断する（ステップＳ１０）。なお、上記所定のエリアは、干渉シナリオＡにおいては自基地局１０（ＣＳＧ  Ｈｏｍｅ  ｅＮＢ）のカバレッジエリア、干渉シナリオＢにおいてはＰｉｃｏ  ｅＮＢの拡張されたカバレッジエリアである（図３（ｂ）も同様）。
【００４５】
ステップＳ１０において検知部１１０が所定のエリア内に被干渉端末が存在しないと判断した場合（ステップＳ１０：Ｎｏ）、具体的には、干渉シナリオＡにおいて検知部１１０が自基地局１０のカバレッジエリア内に被干渉端末が存在しないと判断した場合、又は、干渉シナリオＢにおいて検知部１１０がＰｉｃｏ  ｅＮＢの拡張されたカバレッジエリア内に被干渉端末が存在しないと判断した場合、ステップＳ２０（後述）を飛ばして、図３（ａ）に示すフローチャートは終了する。つまり、スケジューラモード決定部１３０は、ダイナミックスケジューラモードを維持する。
【００４６】
一方、ステップＳ１０において検知部１１０が所定のエリア内に被干渉端末が存在すると判断した場合（ステップＳ１０：Ｙｅｓ）、具体的には、干渉シナリオＡにおいて検知部１１０が自基地局１０（ＣＳＧ  Ｈｏｍｅ  ｅＮＢ）のカバレッジエリア内に被干渉端末（非ＣＳＧ  ＵＥ）が存在すると判断した場合、又は、干渉シナリオＢにおいて検知部１１０がＰｉｃｏ  ｅＮＢの拡張されたカバレッジエリア内に被干渉端末（Ｐｉｃｏ  ＵＥ）が存在すると判断した場合、スケジューラモード決定部１３０は、スケジューラモードを連続送信型スケジューラモードに決定する（ステップＳ２０）。つまり、スケジューラモード決定部１３０は、ダイナミックスケジューラモードから連続送信型スケジューラモードへのスケジューラモードを切り替える。そして、図３（ａ）のフローチャートは終了する。
【００４７】
図３（ｂ）において、検知部１１０は、ステップＳ１０と同様に、所定のエリア内に被干渉端末が存在するか否かを判断する（ステップＳ３０）。
【００４８】
ステップＳ３０において検知部１１０が所定のエリア内に被干渉端末が存在すると判断した場合（ステップＳ３０：Ｙｅｓ）、スケジューラモード決定部１３０は、連続送信型スケジューラモードに決定してから所定の時間（周期Ｐに相当する時間）が経過したか否かを判断する（ステップＳ４０）。所定の時間が経過していないと判断した場合（ステップＳ４０：Ｎｏ）、ステップＳ３０及びステップＳ４０を繰り返し実行する。
【００４９】
一方、ステップＳ３０において所定のエリア内に被干渉端末が存在しないと判断した場合（ステップＳ３０：Ｎｏ）、又は、ステップＳ４０において所定の時間が経過したと判断した場合（ステップＳ４０：Ｙｅｓ）、スケジューラモード決定部１３０は、スケジューラモードをダイナミックスケジューラモードに決定する（ステップＳ５０）。つまり、スケジューラモード決定部１３０は、ダイナミックスケジューラモードから連続送信型スケジューラモードへのスケジューラモードを切り替える。そして、図３（ｂ）のフローチャートは終了する。
【００５０】
図３（ｂ）に示すフローチャートでは、基地局装置１０は、一旦、スケジューラモードを連続送信型スケジューラモードに決定した後に、無線リソース割当を見直すために、定期的に、スケジューラモードをダイナミックスケジューラモードに切り替えるようにしている（ステップＳ４０（Ｙｅｓ）、ステップＳ５０）。また、図３（ｂ）に示すフローチャートでは、基地局装置１０は、一旦、スケジューラモードを連続送信型スケジューラモードに決定した後に、イベントドリブン的に（ステップＳ３０（Ｎｏ）、ステップＳ５０）、スケジューラモードをダイナミックスケジューラモードに切り替えるようにしている。
【００５１】
つまり、所定の時間を経過したときに（ステップＳ４０（Ｙｅｓ））、又は、所定の時間の経過前であっても連続送信型スケジューラモードを維持する必要がなくなったときに（ステップＳ５０（Ｎｏ））、ダイナミックスケジューラモードに切り替えるようにしているため、例えば、干渉シナリオＡにおいて自基地局１０（ＣＳＧ  Ｈｏｍｅ  ｅＮＢ）のカバレッジエリア内に接続端末（ＣＳＧ  ＵＥ）がハンドオーバー等により入ってきた場合（自基地局１０に新たにRRC_Connectedとなった接続端末が存在するようになった場合）であっても、当該接続端末に対する無線リソース割当を迅速に行うことができる。また、干渉シナリオＢにおいて自基地局１０（Ｍａｃｒｏ  ｅＮＢ）のカバレッジエリア内に接続端末（Ｍａｃｒｏ  ＵＥ）がハンドオーバー等により入ってきた場合であっても、当該接続端末に対する無線リソース割当を迅速に行うことができる。
【００５２】
なお、上述の如く、スケジューラモードとしてダイナミックスケジューラモードと連続送信型スケジューラモードとが存在するため、基地局装置１０は、連続送信適用有無情報を用いて連続送信型スケジューラモードの適用の有無（有：連続送信型スケジューラモードを適用／無：ダイナミックスケジューラモードを適用）を接続端末に通知するとともに、少なくとも連続送信型スケジューラモード適用有の場合には、連続送信周期情報を用いて連続送信型スケジューリングの周期を示す情報を接続端末に通知する必要がある。
【００５３】
以下、基地局装置１０による接続端末に対する、連続送信適用有無情報及び連続送信周期情報の通知手段について説明する。具体例として、下記、通知手段１、２、３について説明する。
【００５４】
（通知手段１）
通知手段１は、ＰＤＣＣＨ（領域）に、連続送信適用有無情報、及び、連続送信周期情報を格納し、連続送信適用有無情報、及び、連続送信周期情報を端末に通知する通知手段である。具体的には、ＰＤＣＣＨに、連続送信適用有無情報の領域として、１ビット（bit_continuousTransmissionScheduling）を確保し、連続送信周期情報の領域として数ビット（bits_P）を確保する。なお、「bit_continuousTransmissionScheduling」、「bits_P」という名称は一例であって、他の名称であっても構わない。ＰＤＣＣＨ（領域）を用いれば、接続端末毎に、連続送信適用有無情報及び連続送信周期情報を通知することができる。
【００５５】
bit_continuousTransmissionScheduling=０は連続送信型スケジューラモード適用無（連続送信型スケジューラＯＦＦ）、bit_continuousTransmissionScheduling=１は連続送信型スケジューラモード適用有（連続送信型スケジューラＯＮ）である。つまり、基地局装置１０は、連続送信型スケジューリングを行わない場合には、ＰＤＣＣＨ内のbit_continuousTransmissionSchedulingに０をセットし、連続送信型スケジューリングを行う場合には、ＰＤＣＣＨ内のbit_continuousTransmissionSchedulingに１をセットする。一方、接続端末は、ＰＤＣＣＨ内のbit_continuousTransmissionSchedulingを参照し、値が０であった場合には、連続送信型スケジューリングが行われていないと判断し、値が１であった場合には、連続送信型スケジューリングが行われていると判断する。
【００５６】
bits_PとしてＰＤＣＣＨ内に確保するビット数は、連続送信型スケジューリングの周期をどのように表現するのかによって異なる。ＰＤＣＣＨ内に確保するビット数を抑えるために、連続送信型スケジューリングの周期を予め定めたＮ個のインデックス（Ｉ１、Ｉ２、…、ＩＮ）毎に定義したＮ種類の周期（Ｐ１、Ｐ２、…、ＰＮ）に限定してもよい。Ｎ個のインデックス（Ｎ種類の周期）をサポートする場合、ＰＤＣＣＨ内にｌｏｇ２（Ｎ）ビットのbits_Pを確保すればよい。つまり、基地局装置１０は、あるインデックス（ＩＭ）によって定義された周期（ＰＭ）毎にスケジューリングを行う連続送信型スケジューリングでは、ＰＤＣＣＨ内のbits_Pに当該インデックス（ＩＭ）を表現するものとして予め定義してある値をセットする。一方、接続端末は、ＰＤＣＣＨ内のbits_P を参照し、bits_P の値からインデックス（ＩＭ）を得て、インデックス（ＩＭ）から周期（ＰＭ）を得る。なお、接続端末は、ＰＤＣＣＨ内のbit_continuousTransmissionSchedulingの値が１であった場合に、ＰＤＣＣＨ内のbits_P を参照してもよい。
【００５７】
なお、上記通知手段１において、ＰＤＣＣＨを通知するＰＤＣＣＨ生成部１６４又は出力部（非図示）が、ＰＤＣＣＨ領域に、連続送信適用有無情報、及び、連続送信周期情報を格納し、連続送信適用有無情報、及び、連続送信周期情報を端末に通知する端末通知手段に相当する。
【００５８】
図４は、ＰＤＣＣＨの種類について説明する説明図である。ＰＤＣＣＨには、図４に示すように、複数の種類が存在する。基地局装置１０は、例えば、ＤＣＩ  ｆｏｒｍａｔ  ０／１／１Ａ／１Ｂ／１Ｃ／１Ｄ／２／２Ａ／２Ｂの定義済みビットの直後に、連続送信適用有無情報の領域（bit_continuousTransmissionScheduling）、及び、連続送信周期情報の領域（bits_P）を追加する。図５は、連続送信適用有無情報及び連続送信周期情報を追加したＤＣＩ ｆｏｒｍａｔ０の一例である。図６は、連続送信適用有無情報及び連続送信周期情報を追加したＤＣＩ ｆｏｒｍａｔ１の一例である。
【００５９】
以下、通知手段１を採用した場合の接続端末の動作を説明する。図７は、通知手段１を採用した場合の接続端末の動作の一例を示すフローチャートである。つまり、図７に示すフローチャートは、干渉シナリオＡの場合には、通知手段１を採用した基地局装置１０（ＣＳＧ  Ｈｏｍｅ  ｅＮＢ）に接続する接続端末（ＣＳＧ  ＵＥ）の動作の一例、干渉シナリオＢの場合には、通知手段１を採用した基地局装置１０（Ｍａｃｒｏ  ｅＮＢ）に接続する接続端末（Ｍａｃｒｏ  ＵＥ）の動作の一例を示している。なお、後述する図８に示すフローチャートについても同様である。
【００６０】
図７において、あるサブフレームを受信した接続端末は、当該サブフレームについて連続送信型スケジューリングに従って連続送信を行う際に参照する割当情報を記憶しているか否かを判断する（ステップＳ１００）。
なお、接続端末は、周期（Ｐ）毎にスケジューリングを行う連続送信型スケジューリングに従ってＰＤＳＣＨ受信／ＰＵＳＣＨ送信を行う場合、割当情報を受信したサブフレームｎから連続するＰ個の各サブフレームにおいて参照するべき、サブフレーム毎のＰ個の割当情報（サブフレームｎ＋１〜サブフレームｎ＋Ｐ−１のＰ−１個のサブフレームに対する割当情報の内容は、何れもサブフレームｎに対する割当情報と同一）を記憶する。
【００６１】
ステップＳ１００において割当情報を記憶していないと判断した場合（ステップＳ１００：Ｎｏ）、接続端末は、当該サブフレームに自端末宛のＰＤＳＣＨ／ＰＵＳＣＨの割当情報が存在するか否かを判断する（ステップＳ１１０）。即ち、端末は、当該サブフレームにおいてＰＣＦＩＣＨ受信→ＰＤＣＣＨ受信ができたか否かを判断する。なお、基地局装置１０が、ダイナミックスケジューリングを行っている場合には、各サブフレームに割当情報が存在する。一方、基地局装置１０が、周期（ＰＫ）毎にスケジューリングを行う連続送信型スケジューリングを行っている場合には、周期（ＰＫ）毎のサブフレーム（例えば、サブフレームｎ、サブフレームｎ＋ＰＫ、…、）には割当情報が存在し、周期（ＰＫ）間のサブフレーム（例えば、サブフレームｎ＋１、サブフレームｎ＋２、…、サブフレームｎ＋ＰＫ−１）には割当情報が存在しない。
【００６２】
ステップＳ１１０において割当情報が存在すると判断した場合（ステップＳ１１０：Ｙｅｓ）、当該割当情報を用いて、ＰＤＳＣＨを受信／ＰＵＳＣＨを送信する（ステップＳ１２０／送受信手段）。
【００６３】
ステップＳ１２０に続いて、接続端末は、ＰＤＣＣＨ内に含まれる連続送信適用有無情報に基づいて、連続送信型スケジューラの適用の有無を判断する（ステップＳ１３０／適用有無判断手段）。具体的には、接続端末は、ＰＤＣＣＨ内のbit_continuousTransmissionSchedulingの値が１であるか否かを判断する。つまり、接続端末は、次サブフレーム以降について連続送信型スケジューリングに従うか否かを判断する。
【００６４】
ステップＳ１３０において連続送信型スケジューラの適用有であると判断した場合（ステップＳ１３０：Ｙｅｓ）、接続端末は、ステップＳ１２０において用いた割当情報を記憶する（ステップＳ１４０）。即ち、接続端末は、次サブフレーム以降について連続送信型スケジューリングに従うと判断したため、連続送信型スケジューリングの周期（Ｐ）、及び、連続送信型スケジューリングに従って連続送信を行う際に参照する割当情報として、次サブフレームからＰ−１個のサブフレームの夫々に対するＰ−１個の割当情報として、ステップＳ１２０において用いた割当情報を記憶する。そして、図７のフローチャートは終了する（ステップＳ１００に戻って次サブフレームを処理する）。
【００６５】
一方、ステップＳ１１０において割当情報が存在しないと判断した場合（ステップＳ１１０：Ｎｏ）、又は、ステップＳ１３０において連続送信型スケジューラの適用無であると判断した場合（ステップＳ１３０：Ｎｏ）、図７のフローチャートは終了する（ステップＳ１００に戻って次サブフレームを処理する）。
【００６６】
一方、ステップＳ１００において割当情報を記憶していると判断した場合（ステップＳ１００：Ｙｅｓ）、接続端末は、記憶している割当情報（当該サブフレームについて連続送信型スケジューリングに従って連続送信を行う際に参照する割当情報）を用いて、ＰＤＳＣＨを受信／ＰＵＳＣＨを送信する（ステップＳ１５０／送受信手段）。即ち、接続端末は、ＰＣＦＩＣＨ受信とＰＤＣＣＨ受信を行うことなく、ＰＤＳＣＨ受信／ＰＵＳＣＨ送信を行う。そして、図７のフローチャートは終了する（ステップＳ１００に戻って次サブフレームを処理する）。
【００６７】
以上のように、接続端末は、連続送信型スケジューリングに従ってＰＤＳＣＨ受信／ＰＵＳＣＨ送信を行っている間、ＰＣＦＩＣＨ受信とＰＤＣＣＨ受信を行わないため、電池の消耗が低減する。例えば、干渉シナリオＡの場合には、接続端末（ＣＳＧ  ＵＥ）は、基地局装置１０（ＣＳＧ  Ｈｏｍｅ  ｅＮＢ）による連続送信型スケジューリングに従ってＰＤＳＣＨ受信／ＰＵＳＣＨ送信を行っている間、周期的にしかＰＣＦＩＣＨ受信とＰＤＣＣＨ受信を行わないため、電池の消耗が低減する。また、干渉シナリオＢの場合には、接続端末（Ｍａｃｒｏ  ＵＥ）は、基地局装置１０（Ｍａｃｒｏ  ｅＮＢ）による連続送信型スケジューリングに従ってＰＤＳＣＨ受信／ＰＵＳＣＨ送信を行っている間、周期的にしかＰＣＦＩＣＨ受信とＰＤＣＣＨ受信を行わないため、電池の消耗が低減する。
【００６８】
また、基地局装置１０は、連続送信型スケジューラモードを適用している間、ＰＣＦＩＣＨとＰＤＣＣＨとを送信しないため、被干渉端末における制御チャネルの干渉が減少し、被干渉端末における制御チャネルの受信品質が向上する。例えば、干渉シナリオＡの場合には、基地局装置１０（ＣＳＧ  Ｈｏｍｅ  ｅＮＢ）は、連続送信型スケジューラモードを適用している間、ＰＣＦＩＣＨとＰＤＣＣＨとを送信しないため、被干渉端末（非ＣＳＧ  ＵＥ）における制御チャネルの干渉が減少し、被干渉端末（非ＣＳＧ  ＵＥ）における制御チャネルの受信品質が向上する。また、干渉シナリオＢの場合には、基地局装置１０（Ｍａｃｒｏ  ｅＮＢ）は、連続送信型スケジューラモードを適用している間、ＰＣＦＩＣＨとＰＤＣＣＨとを送信しないため、被干渉端末（Ｐｉｃｏ  ＵＥ）における制御チャネルの干渉が減少し、被干渉端末（非ＣＳＧ  ＵＥ）における制御チャネルの受信品質が向上する。
【００６９】
（通知手段２）
通知手段２は、データ領域（ＰＤＳＣＨ（領域）／ＰＵＳＣＨ（領域））のメッセージ（具体的には、ＲＲＣ（Radio Resource Control）メッセージ）として、連続送信適用有無情報及び連続送信周期情報を含むメッセージを追加（定義）し、連続送信適用有無情報及び連続送信周期情報を接続端末に通知する通知手段である。なお、追加するメッセージをＣＴＳ＿Ｃｏｎｆｉｇと称するが、名称は一例であって他の名称であってもかまわない。ＣＴＳ＿Ｃｏｎｆｉｇは、連続送信型スケジューラモードのｃｏｎｆｉｇｕｒｅ用のメッセージである。ＣＴＳ＿Ｃｏｎｆｉｇを定義すれば、接続端末毎に、連続送信適用有無情報及び連続送信周期情報を通知することができる。以下、ダイナミックスケジューラモード中に（即ち、ダイナミックスケジューリングに従ってＰＤＳＣＨ受信／ＰＵＳＣＨ送信を行っているときに）ＣＴＳ＿Ｃｏｎｆｉｇを受信した場合（ＣＡＳＥ１）と、連続送信型スケジューラモード中に（連続送信型スケジューリングに従ってＰＤＳＣＨ受信／ＰＵＳＣＨ送信を行っているときに）ＣＴＳ＿Ｃｏｎｆｉｇを受信した場合（ＣＡＳＥ２）とに場合分けして接続端末の動作を説明する。
【００７０】
（通知手段２−ＣＡＳＥ１）
接続端末は、ダイナミックスケジューラモード中に、ＣＴＳ＿Ｃｏｎｆｉｇを受信した場合、ＣＴＳ＿Ｃｏｎｆｉｇ内の連続送信適用有無情報を参照する。接続端末は、連続送信適用有無情報が連続送信型スケジューラモード適用有を示す場合には、ＣＴＳ＿Ｃｏｎｆｉｇ内の連続送信周期情報から周期（Ｐ）を得て、割当情報を受信したサブフレームｎから連続するＰ個の各サブフレームにおいて、サブフレームｎに対する割当情報を用いて、ＰＤＳＣＨ受信／ＰＵＳＣＨ送信を行う（周期（Ｐ）毎にスケジューリングを行う連続送信型スケジューリングに従ってＰＤＳＣＨ受信／ＰＵＳＣＨ送信を行う）。
つまり、接続端末は、連続送信型スケジューラモード適用有を示す連続送信適用有無情報及び周期（ＰＫ）を示す連続送信周期情報を含むＣＴＳ＿Ｃｏｎｆｉｇを受信した場合には、ダイナミックスケジューラモードから連続送信型スケジューラモードに切り替わったと判断し、当該ＣＴＳ＿Ｃｏｎｆｉｇ受信後に最初にＰＤＣＣＨを受信したサブフレーム（当該ＣＴＳ＿Ｃｏｎｆｉｇ受信後、初のＰＤＣＣＨを受信したサブフレーム）より、周期（ＰＫ）の連続送信型スケジューリングに従ってＰＤＳＣＨ受信／ＰＵＳＣＨ送信を行う。即ち、ＣＴＳ＿Ｃｏｎｆｉｇを受信し、ダイナミックスケジューラモードから連続送信型スケジューラモードに切り替わってから、最初にＰＤＣＣＨを受信したサブフレームをサブフレームｘと仮定すれば、サブフレームｘで取得した割当情報を、当該サブフレームｘ、及び、サブフレームｘ＋１〜サブフレームｘ＋ＰＫ−１の連続するＰ個（サブフレームｘを含むＰ個）のサブフレームに適用し、ＰＤＳＣＨ受信／ＰＵＳＣＨ送信を行う。なお、ＣＴＳ＿Ｃｏｎｆｉｇを受信したサブフレームを、ＣＴＳ＿Ｃｏｎｆｉｇ受信後に最初にＰＤＣＣＨを受信したサブフレームとみなしてもよい。
一方、連続送信適用有無情報が連続送信型スケジューラモード適用無を示す場合には、ダイナミックスケジューリングに従ったＰＤＳＣＨ受信／ＰＵＳＣＨ送信を維持する。
【００７１】
（通知手段２−ＣＡＳＥ２）
接続端末は、連続送信型スケジューラモード中に、ＣＴＳ＿Ｃｏｎｆｉｇを受信した場合、ＣＴＳ＿Ｃｏｎｆｉｇ内の連続送信適用有無情報を参照する。接続端末は、連続送信適用有無情報が連続送信型スケジューラモード適用無を示す場合には、連続送信型スケジューラモードからダイナミックスケジューラモードに切り替わったと判断し、以降、ダイナミックスケジューリングに従ったＰＤＳＣＨ受信／ＰＵＳＣＨ送信を行う。
【００７２】
一方、接続端末は、連続送信適用有無情報が連続送信型スケジューラモード適用有を示す場合には、ＣＴＳ＿Ｃｏｎｆｉｇ内の連続送信周期情報から周期（Ｐ）を得て、周期（Ｐ）毎にスケジューリングを行う連続送信型スケジューリングに従ってＰＤＳＣＨ受信／ＰＵＳＣＨ送信を行う。
つまり、接続端末は、周期（Ｐ１）の連続送信型スケジューリングに従ってＰＤＳＣＨ受信／ＰＵＳＣＨ送信しているときに、連続送信型スケジューラモード適用有を示す連続送信適用有無情報及び周期（Ｐ１）を示す連続送信周期情報を含むＣＴＳ＿Ｃｏｎｆｉｇを受信した場合には、当該周期（Ｐ１）の連続送信型スケジューリングに従ったＰＤＳＣＨ受信／ＰＵＳＣＨ送信を維持する。また、接続端末は、周期（Ｐ１）の連続送信型スケジューリングに従ってＰＤＳＣＨ受信／ＰＵＳＣＨ送信しているときに、連続送信型スケジューラモード適用有を示す連続送信適用有無情報及び周期（Ｐ２）を示す連続送信周期情報を含むＣＴＳ＿Ｃｏｎｆｉｇを受信した場合には、当該ＣＴＳ＿Ｃｏｎｆｉｇ受信後に最初にＰＤＣＣＨを受信したサブフレームより、周期（Ｐ２）の連続送信型スケジューリングに従ったＰＤＳＣＨ受信／ＰＵＳＣＨ送信を行う（即ち、周期（Ｐ）を切り替える）。
【００７３】
なお、通知手段２において、データチャネルを生成するデータチャネル生成部１６６又は出力部（非図示）が、連続送信適用有無情報、及び、連続送信周期情報を含むＲＲＣ（Radio Resource Control）メッセージを用いて、連続送信適用有無情報、及び、連続送信周期情報を端末に通知する端末通知手段に相当する。
【００７４】
以下、通知手段２を採用した場合の接続端末の動作を説明する。図８は、通知手段２を採用した場合の接続端末の動作の一例を示すフローチャートである。具体的には、図８（ａ）に示すフローチャートはダイナミックスケジューラモード中（割当情報を記憶していない場合）の動作、図８（ｂ）に示すフローチャートは連続送信型スケジューラモード中の動作（割当情報を記憶していない場合）を示している。なお、図８（ａ）では、ＣＴＳ＿Ｃｏｎｆｉｇを受信したサブフレーム＝ＣＴＳ＿Ｃｏｎｆｉｇ受信後に最初にＰＤＣＣＨを受信したサブフレームとする。
【００７５】
図８（ａ）において、端末接続は、当該サブフレームにおいて受信した割当情報を用いて、ＰＤＳＣＨを受信／ＰＵＳＣＨを送信する（ステップＳ３００／送受信手段）。即ち、接続端末は、ＰＣＦＩＣＨ受信とＰＤＣＣＨ受信を行って、ＰＤＳＣＨ受信／ＰＵＳＣＨ送信を行う。
【００７６】
ステップＳ３００に続いて接続端末は、当該サブフレームにおいてＣＴＳ＿Ｃｏｎｆｉｇを受信したか否かを判断する（ステップＳ３１０／受信判断手段）。接続端末は、ＣＴＳ＿Ｃｏｎｆｉｇを受信していないと判断した場合（ステップＳ３１０：Ｎｏ）、図８（ａ）に示すフローチャートは終了する。
【００７７】
一方、ステップＳ３１０において接続端末は、ＣＴＳ＿Ｃｏｎｆｉｇを受信したと判断した場合（ステップＳ３１０：Ｙｅｓ）、連続送信適用有無情報が連続送信型スケジューラモード適用有を示すか否かを判断する（ステップＳ３２０／適用有無判断手段）。接続端末は、連続送信適用有無情報が連続送信型スケジューラモード適用無を示すと判断した場合（ステップＳ３２０：Ｎｏ）、図８（ａ）に示すフローチャートは終了する。
【００７８】
一方、接続端末は、連続送信適用有無情報が連続送信型スケジューラモード適用有を示すと判断した場合（ステップ３２０：Ｙｅｓ）、連続送信型スケジューリングに従って連続送信を行う際に参照する割当情報として、当該サブフレームの割当情報を記憶する（ステップＳ３３０）。なお、接続端末は、連続送信型スケジューリングに従って連続送信を行う際に参照する割当情報として、当該ＣＴＳ＿Ｃｏｎｆｉｇ受信後に最初にＰＤＣＣＨを受信したサブフレーム内に含まれる割当情報を記憶するが、Ｃｏｎｆｉｇを受信したサブフレーム＝ＣＴＳ＿Ｃｏｎｆｉｇ受信後に最初にＰＤＣＣＨを受信したサブフレームと仮定しているため、接続端末は、当該サブフレームの割当情報を記憶する。そして、図８（ａ）のフローチャートは終了する。
【００７９】
図８（ｂ）において、接続端末は、連続送信型スケジューリングに従って連続送信を行う際に参照する割当情報として記憶している割当情報を用いて、ＰＤＳＣＨを受信／ＰＵＳＣＨを送信する（ステップＳ４００／送受信手段）。即ち、接続端末は、ＰＣＦＩＣＨ受信とＰＤＣＣＨ受信を行うことなく、ＰＤＳＣＨ受信／ＰＵＳＣＨ送信を行う。
【００８０】
ステップＳ４００に続いて接続端末は、当該サブフレームにおいてＣＴＳ＿Ｃｏｎｆｉｇを受信したか否かを判断する（ステップＳ４１０／受信判断手段）。接続端末は、ＣＴＳ＿Ｃｏｎｆｉｇを受信していないと判断した場合（ステップＳ４１０：Ｎｏ）、図８（ｂ）に示すフローチャートは終了する。
【００８１】
一方、ステップＳ４１０において接続端末は、ＣＴＳ＿Ｃｏｎｆｉｇを受信したと判断した場合（ステップＳ４１０：Ｙｅｓ）、連続送信適用有無情報が連続送信型スケジューラモード適用有を示すか否かを判断する（ステップＳ４２０／適用有無判断手段）。接続端末は、連続送信適用有無情報が連続送信型スケジューラモード適用有を示すと判断した場合（ステップＳ４２０：Ｙｅｓ）、連続送信型スケジューリングに従って連続送信を行う際に参照する割当情報として、当該サブフレームの割当情報を記憶する（ステップＳ３３０）。なお、接続端末は、連続送信型スケジューリングに従って連続送信を行う際に参照する割当情報として、当該ＣＴＳ＿Ｃｏｎｆｉｇ受信後に最初にＰＤＣＣＨを受信したサブフレーム内に含まれる割当情報を記憶するが、Ｃｏｎｆｉｇを受信したサブフレーム＝ＣＴＳ＿Ｃｏｎｆｉｇ受信後に最初にＰＤＣＣＨを受信したサブフレームと仮定しているため、接続端末は、当該サブフレームの割当情報を記憶する。そして、図８（ｂ）のフローチャートは終了する。
【００８２】
一方、ステップＳ４２０において連続送信適用有無情報が連続送信型スケジューラモード適用無を示すと判断した場合（ステップＳ４２０：Ｎｏ）、つまり、連続送信型スケジューラモードからダイナミックスケジューラモードに切り替わると判断した場合、連続送信型スケジューリングに従って連続送信を行う際に参照する割当情報として記憶している割当情報を消去する（ステップＳ４４０）。そして、図８（ｂ）のフローチャートは終了する。
【００８３】
図８に示すように、通知手段２を適用する場合も通知手段１を適用する場合と同様、接続端末は、連続送信型スケジューリングに従ってＰＤＳＣＨ受信／ＰＵＳＣＨ送信を行っている間、ＰＣＦＩＣＨ受信とＰＤＣＣＨ受信を行わないため、電池の消耗が低減する。また、基地局装置１０は、連続送信型スケジューラモードを適用している間、ＰＣＦＩＣＨとＰＤＣＣＨとを送信しないため、被干渉端末における制御チャネルの干渉が減少し、被干渉端末における制御チャネルの受信品質が向上する。
【００８４】
（通知手段３）
通知手段３は、データ領域（ＰＤＳＣＨ（領域）／ＰＵＳＣＨ（領域））のパラメータ設定用情報（具体的には、ＳＩＢ（System Information Broadcast）情報）として、連続送信適用有無情報及び連続送信周期情報を含むパラメータ設定用情報を追加（定義）し、連続送信適用有無情報及び連続送信周期情報を接続端末に通知する通知手段である。
ＳＩＢ情報は、ＲＲＣメッセージの１つであって、システム共通のパラメータ設定用情報である。連続送信適用有無情報及び連続送信周期情報を含むＳＩＢ情報を定義すれば、複数の接続端末に、同様の連続送信適用有無情報及び連続送信周期情報を通知することができる。以下、ダイナミックスケジューラモード中にＳＩＢ情報を受信した場合（ＣＡＳＥ１）と、連続送信型スケジューラモード中にＳＩＢ情報を受信した場合（ＣＡＳＥ２）とに場合分けして接続端末の動作を説明する。
【００８５】
（通知手段３−ＣＡＳＥ１）
接続端末は、ダイナミックスケジューラモード中に、ＳＩＢ情報を受信した場合、ＳＩＢ情報内の連続送信適用有無情報を参照する。接続端末は、連続送信適用有無情報が連続送信型スケジューラモード適用有を示す場合には、ＳＩＢ情報内の連続送信周期情報から周期（Ｐ）を得て、周期（Ｐ）毎にスケジューリングを行う連続送信型スケジューリングに従ってＰＤＳＣＨ受信／ＰＵＳＣＨ送信を行う。つまり、接続端末は、連続送信型スケジューラモード適用有を示す連続送信適用有無情報及び周期（例えば、ＰＫ）を示す連続送信周期情報を含むＳＩＢ情報を受信した場合には、ダイナミックスケジューラモードから連続送信型スケジューラモードに切り替わったと判断し、以降、周期（ＰＫ）の連続送信型スケジューリングに従ってＰＤＳＣＨ受信／ＰＵＳＣＨ送信を行う。
一方、連続送信適用有無情報が連続送信型スケジューラモード適用無を示す場合には、ダイナミックスケジューリングに従ったＰＤＳＣＨ受信／ＰＵＳＣＨ送信を維持する。
【００８６】
（通知手段３−ＣＡＳＥ２）
接続端末は、連続送信型スケジューラモード中に、ＳＩＢ情報を受信した場合、ＳＩＢ情報内の連続送信適用有無情報を参照する。接続端末は、連続送信適用有無情報が連続送信型スケジューラモード適用無を示す場合には、連続送信型スケジューラモードからダイナミックスケジューラモードに切り替わったと判断し、以降、ダイナミックスケジューリングに従ったＰＤＳＣＨ受信／ＰＵＳＣＨ送信を行う。
【００８７】
一方、接続端末は、連続送信適用有無情報が連続送信型スケジューラモード適用有を示す場合には、ＳＩＢ情報内の連続送信周期情報から周期（Ｐ）を得て、周期（Ｐ）毎にスケジューリングを行う連続送信型スケジューリングに従ってＰＤＳＣＨ受信／ＰＵＳＣＨ送信を行う。つまり、接続端末は、周期（例えば、Ｐ１）の連続送信型スケジューリングに従ってＰＤＳＣＨ受信／ＰＵＳＣＨ送信しているときに、連続送信型スケジューラモード適用有を示す連続送信適用有無情報及び周期（Ｐ１）を示す連続送信周期情報を含むＳＩＢ情報を受信した場合には、当該周期（Ｐ１）の連続送信型スケジューリングに従ったＰＤＳＣＨ受信／ＰＵＳＣＨ送信を維持し、連続送信型スケジューラモード適用有を示す連続送信適用有無情報及び周期（例えば、Ｐ２）を示す連続送信周期情報を含むＳＩＢ情報を受信した場合には、当該ＳＩＢ受信後に最初にＰＤＣＣＨを受信したサブフレーム以降、周期（Ｐ２）の連続送信型スケジューリングに従ったＰＤＳＣＨ受信／ＰＵＳＣＨ送信を行う（周期（Ｐ１）から周期（Ｐ２）に切り替える）。
【００８８】
上述の如く、通知手段３と通知手段２とは、送信適用有無情報及び連続送信周期情報を格納する情報は異なるが、両手段における接続端末の動作は、互いに共通するため、通知手段３における接続端末の動作の詳細な説明（フローチャートによる説明も含め）省略する。
【００８９】
なお、通知手段３において、データチャネルを生成するデータチャネル生成部１６６又は出力部（非図示）が、連続送信適用有無情報、及び、連続送信周期情報を含むＳＩＢ（System Information Broadcast）情報を用いて、連続送信適用有無情報、及び、連続送信周期情報を端末に通知する端末通知手段に相当する。
【００９０】
以上のように、通知手段３を適用する場合も通知手段１、２を適用する場合と同様、接続端末は、連続送信型スケジューリングに従ってＰＤＳＣＨ受信／ＰＵＳＣＨ送信を行っている間、ＰＣＦＩＣＨ受信とＰＤＣＣＨ受信を行わないため、電池の消耗が低減する。また、基地局装置１０は、連続送信型スケジューラモードを適用している間、ＰＣＦＩＣＨとＰＤＣＣＨとを送信しないため、被干渉端末における制御チャネルの干渉が減少し、被干渉端末における制御チャネルの受信品質が向上する。
【００９１】
以上、本発明の一実施形態による基地局装置１０によれば、被干渉端末における制御チャネルの受信品質を向上させるとともに、接続端末における電池の消耗を低減させることができる。
例えば、干渉シナリオＡの場合、基地局装置１０（ＣＳＧ  Ｈｏｍｅ  ｅＮＢ）は、自カバレッジエリア内の被干渉端末（非ＣＳＧ  ＵＥ）が存在する場合、連続送信型スケジューラモードを適用して接続端末（ＣＳＧ  ＵＥ）と通信するようにしているため、被干渉端末（非ＣＳＧ  ＵＥ）における、マクロ基地局からの制御チャネルの受信品質を向上させることができる。また、接続端末（ＣＳＧ  ＵＥ）は、周期Ｐ毎のサブフレームにおいてＰＣＦＩＣＨ受信とＰＤＣＣＨ受信を行うため、毎サブフレームにおいてＰＣＦＩＣＨ受信とＰＤＣＣＨ受信を行う場合に比べて電池の消耗が低減する。
また、干渉シナリオＢの場合、基地局装置１０（Ｍａｃｒｏ  ｅＮＢ）は、Ｐｉｃｏ  ｅＮＢの拡張されたカバレッジエリア内に被干渉端末（Ｐｉｃｏ  ＵＥ）する場合、連続送信型スケジューラモードを適用して接続端末（Ｍａｃｒｏ  ＵＥ）と通信するようにしているため、被干渉端末（Ｐｉｃｏ  ＵＥ）における、Ｐｉｃｏ  ｅＮＢからの制御チャネルの受信品質を向上させることができる。また、接続端末（Ｍａｃｒｏ  ＵＥ）は、周期Ｐ毎のサブフレームにおいてＰＣＦＩＣＨ受信とＰＤＣＣＨ受信を行うため、毎サブフレームにおいてＰＣＦＩＣＨ受信とＰＤＣＣＨ受信を行う場合に比べて電池の消耗が低減する。
【００９２】
なお、上記実施形態では、基地局装置１０は、連続送信適用有無情報及び連続送信周期情報を接続端末に通知するが、連続送信周期情報の示す周期がゼロの場合を連続送信型スケジューラの適用無（ＯＦＦ）として取り扱うようにして、基地局装置１０は、連続送信周期情報のみを接続端末に通知するようにしてもよい。例えば、通知手段１の場合では、基地局装置１０は、ＰＤＣＣＨ（領域）に、１ビットのbit_continuousTransmissionSchedulingと数ビットのbits_Pを確保するのではなく、数ビットのbits_Pのみを確保するようにしてもよい。これにより、ＰＤＣＣＨ（領域）に確保するビット数を１ビット削減できる場合がある。
【００９３】
また、上記実施形態では、干渉シナリオＢにおいて、基地局装置１０（Ｍａｃｒｏ  ｅＮＢ）は、連続送信型スケジューラモードを適用した場合、接続端末（Ｍａｃｒｏ  ＵＥ）に連続送信適用有無情報及び連続送信周期情報を通知するが、接続端末（Ｍａｃｒｏ  ＵＥ）に加え、被干渉端末（Ｐｉｃｏ  ＵＥ）の接続先の基地局（Ｐｉｃｏ  ｅＮＢ）に対し、連続送信適用有無情報及び連続送信周期情報を通知してもよい。例えば、基地局装置１０（Ｍａｃｒｏ  ｅＮＢ）は、Ｘ２インターフェースを用いて、連続送信適用有無情報及び連続送信周期情報を基地局（Ｐｉｃｏ  ｅＮＢ）に通知してもよい。これにより、接続先の基地局（Ｐｉｃｏ  ｅＮＢ）は、基地局装置１０（Ｍａｃｒｏ  ｅＮＢ）から通知された連続送信適用有無情報及び連続送信周期情報も参照して、干渉が少なくなるように、端末（Ｐｉｃｏ  ＵＥ）に対するスケジューリングを行うことができるようになる。例えば、基地局（Ｐｉｃｏ  ｅＮＢ）は、基地局装置１０（Ｍａｃｒｏ  ｅＮＢ）による干渉を回避するべく、カバレッジ拡張部分に位置する端末（Ｐｉｃｏ  ＵＥ）に対し、基地局装置１０（Ｍａｃｒｏ  ｅＮＢ）の周期Ｐと重ならない周期の連続送信型スケジューラモードを適用してもよい。
【００９４】
なお、上記実施形態では、基地局装置１０は、検知部１１０からの検知結果に基づいて被干渉端末に対する干渉が問題となると判断した場合にスケジューラモードを連続送信型スケジューラモードとする態様（即ち、ダイナミックスケジューラモードから連続送信型スケジューラモードに切り替える態様）であったが、被干渉端末に対する干渉が問題とならない場合にも、スケジューラモードを連続送信型スケジューラモードとしてもよい。換言すれば、基地局装置１０は、常に、連続送信型スケジューラモードとしてもよい。
【００９５】
つまり、干渉シナリオＡにおいて、自基地局１０（ＣＳＧ  Ｈｏｍｅ  ｅＮＢ）のカバレッジエリア内に被干渉端末（非ＣＳＧ  ＵＥ）が存在してない場合にも、基地局装置１０（ＣＳＧ  Ｈｏｍｅ  ｅＮＢ）は、スケジューラモードを連続送信型スケジューラモードとしてもよい。また、干渉シナリオＢにおいて、Ｐｉｃｏ  ｅＮＢの拡張されたカバレッジエリア内に被干渉端末（Ｐｉｃｏ  ＵＥ）が存在してない場合にも、基地局装置１０（Ｍａｃｒｏ  ｅＮＢ）は、スケジューラモードを連続送信型スケジューラモードとしてもよい。
【００９６】
常に、連続送信型スケジューラモードとする態様（被干渉端末に対する干渉が問題とならない場合にも連続送信型スケジューラモードとする態様）では、被干渉端末に対する干渉が問題とならない場合（干渉シナリオＡにおいて自基地局１０（ＣＳＧ  Ｈｏｍｅ  ｅＮＢ）のカバレッジエリア内に被干渉端末（非ＣＳＧ  ＵＥ）が存在していない場合、又は、干渉シナリオＢにおいてＰｉｃｏ  ｅＮＢの拡張されたカバレッジエリア内に被干渉端末（Ｐｉｃｏ  ＵＥ）が存在していない場合）には、接続端末における電池消耗低減を実現し、被干渉端末に対する干渉が問題となる場合（干渉シナリオＡにおいて自基地局１０（ＣＳＧ  Ｈｏｍｅ  ｅＮＢ）のカバレッジエリア内に被干渉端末（非ＣＳＧ  ＵＥ）が存在している場合、干渉シナリオＢにおいてＰｉｃｏ  ｅＮＢの拡張されたカバレッジエリア内に被干渉端末（Ｐｉｃｏ  ＵＥ）が存在している場合）には、被干渉端末における制御チャネルの受信品質向上、及び、接続端末における電池消耗低減とを実現する。
【００９７】
なお、常に、連続送信型スケジューラモードとする態様では、基地局装置１０は、検知部１１０を備えなくてもよい。また、通知手段では、連続送信適用有無情報の通知は不要である（周期Ｐが固定の場合には連続送信周期情報の通知も不要である）。
【００９８】
なお、本発明の一実施形態による基地局装置１０、接続端末の各処理を実行するためのプログラムをコンピュータ読み取り可能な記録媒体に記録して、当該記録媒体に記録されたプログラムをコンピュータシステムに読み込ませ、実行することにより、本発明の一実施形態による基地局装置１０、被干渉端末の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００９９】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【０１００】
以上、この発明の実施形態について図面を参照して詳述してきたが、具体的な構成はこの実施形態に限られるものではなく、この発明の要旨を逸脱しない範囲の設計等も含まれる。
【符号の説明】
【０１０１】
１０  基地局装置（ＣＳＧ  Ｈｏｍｅ  ｅＮＢ／Ｍａｃｒｏ  ｅＮＢ）
１１０  検知部（検知手段）
１２０  アンテナ送信モード決定部
１３０  スケジューラモード決定部（スケジューラモード決定手段）
１４０  ＯＦＤＭシンボル数決定部
１６０  ダウンリンク／アップリンクデータチャネルの無線リソース割当部
１６２  ダウンリンク制御チャネルの無線リソース割当部
１６４  ＰＤＣＣＨ生成部（通知手段）
１６６  データチャネル生成部（通知手段）
１７０  ＰＣＦＩＣＨ生成部
【図１】
0005551103.tif 000002
【図２】
0005551103.tif 000003
【図３】
0005551103.tif 000004
【図４】
0005551103.tif 000005
【図５】
0005551103.tif 000006
【図６】
0005551103.tif 000007
【図７】
0005551103.tif 000008
【図８】
0005551103.tif 000009
【図９】
0005551103.tif 000010
【図１０】
0005551103.tif 000011